(57)【要約】【課題】  高熱を帯びることがなく安全性を持ち、軽量かつコンパクトな構成で紙幣の透かしを確実に視認することのできる偽造紙幣識別用装置を得ること【解決手段】  金銭の支払いが行われる際に金銭が収容される金銭トレイの底部面を電界発光シートにて形成したことを特徴とする偽造紙幣識別用装置を形成し、電界発光シートから発せられる全面ほぼ均一な光で紙幣の透かしを確実に照射する。これによって、容易に偽造紙幣を識別することができる。加えて、光源となる電界発光シートのコンパクト性から装置全体を軽量かつコンパクトに構成することができる。また、光源として電界発光シートを用いたことにより、発光の際に発生する熱をほとんどなくすことができる。【選択図】  図３
2006293825.tif 000002
【特許請求の範囲】
【請求項１】
金銭の支払いが行われる際に金銭が収容される金銭トレイの底部面を電界発光シートにて形成したことを特徴とする偽造紙幣識別用装置。
【請求項２】
金銭の支払いが行われる際に金銭が載置される台の上面の所定領域を電界発光シートにて形成したことを特徴とする偽造紙幣識別用装置。
【請求項３】
前記電界発光シートに通電を断続的に行い前記電界シートを点滅させる点滅手段を具備したことを特徴とする請求項１又は２のいずれか１項に記載の偽造紙幣識別用装置。
【発明の詳細な説明】
【技術分野】
【０００１】
本発明は、偽造紙幣識別用装置、特に電界発光シートを用いた偽造紙幣識別用装置に関するものである。
【背景技術】
【０００２】
偽造紙幣による犯罪は最近になっても減ることはなく、むしろ増加している。この様な不正に使用される偽造紙幣を判別する手法として、紙幣に印刷されている透かしを肉眼で確認することが知られている。
【０００３】
ところがこの方法では的確な紙幣の判別は現実的に難しい。例えば、レストランやコンビニエンスストアなどで、支払いに際して使用された紙幣についてそれに透かしが入っているかどうかを、何ら装置を用いることなく検査することは容易でない。例えば、個々に光にかざして目視で透かしを判別することは、金銭の支払い現場における明暗状態により難しくなることも考えられ、また、念入りに紙幣の透かしを調べることは、顧客に大きな不快感を与えることがあると考えられる。
【０００４】
そこで、紙幣の透かしを視認するための装置として、特開2003―99839号（特許文献１）や、特開2003―216998号（特許文献２）などが開示されている。特許文献１の装置は、紙幣を載置する台に光透過板を設置し、その光透過板の下部に光源を内部に含んだ箱を取り付けたものである（同文献図２偽造紙幣識別用装置の符号（９））。特許文献２の装置は、キャッシュトレイの底部に点光源を有する照明装置を組み込み、キャッシュトレイ上に載置した紙幣を上記点光源により照射し、透かしを識別するものである。
【０００５】
一方、電界発光シートは既知の技術であり、高誘電率バインダ中に分散した蛍光体に、交流電圧をかけ電界を発生させることにより発光する発光素子である。また、電界発光シートは発光にムラがないことにより視認性がよく、さらに低消費電力かつ発熱微少な上に衝撃や温度変化に対して強いというような、実用上便利な性質を多く持ち合わせている。
【０００６】
【特許文献１】特開2003―99839号
【特許文献２】特開2003―216998号
【発明の開示】
【発明が解決しようとする課題】
【０００７】
しかし、上記各特許文献に開示された装置に関して特許文献１については、図２に示された偽造紙幣識別用装置を示す分解斜視図の符号（９）で表される光源が大型であるために、全体として装置も大型化している。このために、装置の持ち運びや移動において不便であり金銭支払いの場での設置が難しい。
【０００８】
特許文献２については、特許文献１の装置に比べて小型化されている。しかし、小型化のために、点光源を用いることから被照射体までの距離が短い場合十分に光波が広がらず被照射体を一様に照射できない。したがって、紙幣の透かしが載置する位置によっては見づらくなるといった問題が考えられる。また、上記の両特許文献の発明に共通する問題として、光源を発光させる際に高い熱を帯びることが考えられる。このことは多くの人の手がよく触れると考えられる金銭を取り扱う道具においては大変危険である。
【０００９】
本発明はこのような事情に鑑みてなされたものであり、その目的は、高熱を帯びることがなく安全性を持ち、軽量かつコンパクトな構成で紙幣の透かしを確実に視認することのできる偽造紙幣識別用装置を提供することにある。
【課題を解決するための手段】
【００１０】
上記の目標を達成するため、請求項１に係る偽造紙幣識別用装置は、
金銭の支払いが行われる際に金銭が収容される金銭トレイの底部面を電界発光シートにて形成したことを特徴とする。
これにより電界発光シートから発せられる全面ほぼ均一な光で紙幣の透かしを確実に照射し、容易に偽造紙幣を識別することができる。すなわち紙幣が設置される装置上での位置に依存せず、これを視認することができる。加えて、光源となる電界発光シートのコンパクト性から装置全体を軽量かつコンパクトに構成することができる。また、光源として電界発光シートを用いたことにより、発光の際に発生する熱をほとんどなくすことができる。
【００１１】
請求項２に係る偽造紙幣識別用装置は、
金銭の支払いが行われる際に金銭が載置される台の上面の所定領域を電界発光シートにて形成したことを特徴とする。これにより請求項１に係る偽造紙幣識別用装置と同様に、電界発光シートから発せられる全面ほぼ均一な光で紙幣を照射できるということと、熱をあまり発生することがないということに加えて、電界発光シートを任意の範囲に設置することができ、かつ電界発光シートが敷設されている所定領域上ならば、どこでも紙幣判別が可能である。従って、複数の紙幣を同時にチェックすることが可能である。
【００１２】
請求項３に係る偽造紙幣識別用装置は、
前記電界発光シートに通電を断続的に行い前記電界シートを点滅させる点滅手段を具備したことを特徴とする。この様に電界発光シートを点滅させることで、点灯しているときのみ透かしが浮き上がることとなり、透かしの有無の判別が容易なものとなる。すなわち、本来透かしが印刷されるべき部位に、透かしと同じデザインの絵柄が、通常の印刷で施されている偽造紙幣の場合、電界発光シートが点滅しても、透かしは浮き上がったり、見えなくなったりすることなく常に見えている状態になるので、この紙幣が真正なものでないことがより容易に認識される。
【００１３】
これは透かしが施されていない偽造紙幣の場合も同様であり、その場合、電界発光シートが点滅しても常に透かしが見えない状態が維持されるので、真正でないことを判別できる。
【発明の効果】
【００１４】
本発明に係る電界発光シートを用いた偽造紙幣識別用装置によれば、金銭の支払いが行われる場において、偽造紙幣を適切かつ確実に識別することができ、また、装置をコンパクトに構成できることから持ち運びも容易で、かつ、設置場所にも困らない。発光時に発生する熱もほとんどないので、安全面においても信頼をおくことができる。また、衝撃や温度変化に対しても強いことから、破損の危険性も低いと考えられる。これにより本発明は飲食店やスーパーなどの金銭支払いの現場において偽造紙幣を識別することに好適であるばかりでなく、金銭を支払う側の人間と受け取る側の人間の受け渡しを安全に行うことができる。
【発明を実施するための最良の形態】
【００１５】
以下、本発明における実施の形態について図面を参照にして説明する。図１は本発明の第一の実施の形態を示しており、キャッシュトレイ１２を用いた偽造紙幣識別用装置を示している。本実施の形態において特徴的なことは、キャッシュトレイ１２の底部面に電界発光シート１０を設置したことであり、図示の様にキャッシュトレイ１２の底部面全域をカバーするように敷設されている。また、電界発光シート１０にはインバータ１４を介して交流電源１６が接続されており、例えば、交流電源１６の電圧は４０〜１７０Vで５．０〜５００Ｈz程度とされ、インバータ１４を通して得られる交流電圧で生じた電界により電界発光シート１０が発光される。また、図１の装置は持ち運びが容易で、インバータ１４を接続可能な電源が得られる場所であればどこでも設置することができる。
【００１６】
図２は、実際に上記の構成のキャッシュトレイ１２を使用している状態を示している。図１の構成と同様の要素には同一の符号を付し、その説明は省略する。図示の様に、金銭の支払い者がキャッシュトレイ１２上に紙幣１８を載置すると、キャッシュトレイ１２の底部面全域はほぼ均一に発光しているので、金銭を受け取る者はそのままの状態で、透かし部２０をはっきりと判別することができる。この際金銭の支払い者と受け取る者はキャッシュトレイ１２に手が触れてしまっても熱を発していないので安全に一連の作業を遂行することができる。また、電源のオン、オフは常にオン状態で設置して良く、また、手動でオンオフ切換えを行っても良い。
【００１７】
図３は本発明の第二の実施の形態を示しており、支払いカウンター２４の上面に電界発光シート２２を敷設することにより構成したものを示している。インバータ２６と、電源２８は第一の実施の形態と同様に設置される。図示の様に、電界発光シート２２は、例えば、レストランなどにおける支払いカウンター２４において金銭が置かれる上面領域に広く設置されている。このような構成は、いわゆるコンビニエンスストアなどのようにキャッシュトレイを用いることなく、支払い用のスペースに金銭を載置するようなシステムの場所への設置に好適である。
【００１８】
図４は、上記構成を有する第二の実施の形態に係る偽造紙幣識別用装置の実際の利用状態を示している。図３の構成と同様の要素には同一の符号を付し、その説明を省略する。図示の様に、電界発光シート２２が敷設された支払いカウンター２４上に紙幣３０が置かれると、電界発光シート２２は全領域で均一に発光している状態にあるので、紙幣３０はその全体に光が透過され、金銭の受け取り側では、容易に透かしの存在を確認することができる。また、本実施の形態では、支払いカウンター２４の上面の広範囲に電界発光シート２２が設置されているので、複数の紙幣が置かれた場合でも、簡単に位置をずらして一度に透かしの判別確認を行うことができる。
【００１９】
図５は、更に第三の実施の形態を示している。図３の実施の形態と同様の要素には同様の符号を付している。本実施の形態において特徴的なことは図示の様に、電界発光シート２２を点滅させるために通電を断続的に行うための点滅手段３４を設けたことである。
【００２０】
なお、上記点滅手段は電流の遮断と通電とを周期的に行うことのできる既知の種々の物を用いることが可能である。
【００２１】
この様に点滅手段３４を設けたことで、紙幣の透かしに関わる偽造、すなわち、透かし部分を透かしとしてではなく通常の印刷で行っている偽札、或いは透かしを入れていない偽札をより的確に判別することができる。透かしを有する真正な紙幣の場合、電界発光シート２２が点滅すると、点灯状態では透かしが浮き出て視認可能となり、消灯状態では透かしが見えないか、あるいは見えにくくなる。
【００２２】
しかしながら、例えば、前者の透かし部分を「透かし」としてではなく通常の印刷で行っている偽札の場合は、電界発光シート２２が点滅しているにもかかわらず、透かし部分は他の印刷部分と同様に常に視認できる状態が保たれ変化しない。また、後者の透かしが印刷されていない場合には、当然、電界発光シート２２の点滅に関わらず常に透かしが見えないので、より的確、確実に透かしに関わる偽造紙幣を判別することができる。
【００２３】
なお、本発明は上記各実施の形態の構成に限定されるものではなく、発明の要旨の範囲で種々の変更が可能である。例えば、上述のキャッシュトレイ１２の形状は図示した様な形状に限られず、金銭の支払いの際に金銭を収容するために用いられるものであれば種々のデザインの物を用いることができ、その底部に電界発光シートを設置することで同様の機能を奏することができる。また、支払いカウンターの上面部の電界発光シートの敷設領域は、種々変更調整が可能である。
【図面の簡単な説明】
【００２４】
【図１】キャッシュトレイを用いた第一の実施の形態に係る偽造紙幣識別用装置の説明図である。
【図２】キャッシュトレイを用いた第一の実施の形態に係る偽造紙幣識別用装置の実際の使用状況を示す説明図である。
【図３】支払いカウンターを用いた第二の実施の形態に係る偽造紙幣識別用装置の説明図である。
【図４】支払いカウンターを用いた第二の実施の形態に係る偽造紙幣識別用装置の実際の使用状況を示す説明図である。
【図５】図３に記載された偽造紙幣識別装置に点滅手段を設置した偽造紙幣識別用装置の使い方の説明図である。
【符号の説明】
【００２５】
１０  電界発光シート
１２  キャッシュトレイ
１４  インバータ
１６  交流電源
１８  紙幣
２０  透かし部
２２  電界発光シート
２４  支払いカウンター
２６  インバータ
２８  交流電源
３０  紙幣
３２  透かし部
３４  点滅手段
【図１】
2006293825.tif 000003
【図２】
2006293825.tif 000004
【図３】
2006293825.tif 000005
【図４】
2006293825.tif 000006
【図５】
2006293825.tif 000007